Podtech/llm-jp-corpus-v4-ja_patent huggingface dataset:
【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
エチレン、プロピレン、スチレン及びこれらの混合物から選ばれる1種以上のモノマーを重合させて流体ポリマー成分を調製すること；および、
該ポリマーを合成した後直ぐに且つ流体ポリマー成分が固化する前に、上記流体ポリマー成分と分解剤成分を直接混合してブレンドを調製し且つ分解剤成分を上記流体ポリマー成分全体に亘って実質的に均質に分布させること；
の各工程を含むことを特徴とする分解剤成分を含有するポリマー成分の製造方法。
【請求項２】
上記ブレンドを固化して上記分解剤成分のブレンド中での更なる分布を十分に抑制する工程をさらに含む請求の範囲第1項記載の方法。
【請求項３】
上記混合を押出機で実施する請求の範囲第1項記載の方法。
【請求項４】
上記分解剤成分を、上記ポリマー組成物の約0.01〜10重量％の量で添加する請求の範囲第1項記載の方法。
【請求項５】
上記分解剤成分を、上記ポリマー組成物の約0.1〜5重量％の量で添加する請求の範囲第4項記載の方法。
【請求項６】
上記分解剤成分を、上記ポリマー組成物の約0.5〜2重量％の量で添加する請求の範囲第5項記載の方法。
【請求項７】
上記分解剤成分が、1種以上の光分解剤、生分解剤または化学分解剤を含む請求の範囲第1項記載の方法。
【請求項８】
上記光分解剤が、1種以上の脂肪族または芳香族ケトン類、キノン類、パーオキサイド類、ヒドロパーオキサイド類、アゾ化合物類、有機染料類、潜伏性感光剤類、芳香族炭化水素類またはこれらの混合物を含み；上記生分解剤が、1種以上のキチン、スターチ、セルロース、グルコース誘導体、多糖類、ポリ-β-ヒドロキシブチレート、ポリカプロラクトン、ポリエステル類、カルボジイミド類またはこれらの混合物を含み；化学分解剤が、1種以上の金属カルボン酸塩と脂肪族ポリヒドロキシカルボン酸の組合せ、金属カルボン酸塩と充填剤の組合せ、または遷移金属コンプレックスを含む請求の範囲第7項記載の方法。
【請求項９】
光分解剤を、オレフィン系物質、エーテル類、アセタール類、ケタール類、アミン類、アルデヒド類、天然油類、不飽和脂肪酸類、天然および合成樹脂類、およびこれらの混合物からなる群から選ばれた1種以上の自己酸化性物質とさらに組合せる請求の範囲第8項記載の方法。
【請求項１０】
上記分解剤成分と流体ポリマー成分を均質に分布させる請求の範囲第1項記載の方法。
【請求項１１】
上記分解剤成分が液体である請求の範囲第1項記載の方法。
【請求項１２】
上記ポリマー成分が、抑制剤成分を実質的に含まない請求の範囲第1項記載の方法。
【請求項１３】
加工中のポリマーの分解を抑制するのに十分な量で、抑制剤成分を上記流体ポリマーと混合する工程をさらに含む請求の範囲第1項記載の方法。
【請求項１４】
上記抑制剤成分を、ポリマーの約0.05〜5重量％の量で添加する請求の範囲第１３項記載の方法。
【請求項１５】
上記抑制剤成分が酸化防止剤である請求の範囲第１３項記載の方法。
【請求項１６】
加工中および1種以上の安定剤が消滅した後に分解し始めるような加工後の特定の時間長においてポリマーの分解を抑制するのに十分な量で、抑制剤成分を上記流体ポリマーと混合する工程をさらに含み、上記加工後の特定の時間長がポリマーの有効稼動寿命である請求の範囲第1項記載の方法。
【請求項１７】
上記抑制剤成分が酸化防止剤である請求の範囲第１５項記載の方法。
【請求項１８】
非反応性添加剤を上記流体ポリマーに添加する工程をさらに含む請求の範囲第1項記載の方法。
【請求項１９】
上記非反応性添加剤が、加工助剤、粘度降下剤、モールド剥離剤、ブロッキング防止剤、乳化剤、すべり剤、静電防止剤、繊維状補強添加剤、充填剤、難燃剤、潤滑剤、可塑剤、接着促進剤、染料、顔料、またはこれらの混合物の少なくとも1種を含む請求の範囲第１８項記載の方法。
【請求項２０】
請求の範囲第1項に従って調製したポリマー成分を含む物品。
【請求項２１】
物品が、成型物品、押出物品、フィルム、テープまたは繊維である請求の範囲第２０項記載の物品。
【請求項２２】
1種以上のモノマーを重合させて流体ポリマー成分を調製すること；
該ポリマーを合成した後直ぐに且つ流体ポリマー成分が固化する前に、上記流体ポリマー成分と分解剤成分を直接混合してブレンドを調製し且つ分解剤成分を上記流体ポリマー成分全体に亘って実質的に均質に分布させること；
上記流体ポリマー成分と分解剤のブレンドを固化させること；および、
固化したブレンドを高分子物品に成型すること；
の各工程を含むことを特徴とする分解剤成分を含有するポリマー物品の製造方法。
【請求項２３】
成型が、上記固化したブレンドを再溶融させること；およびそのブレンドを物品に成型することの各工程を含む請求の範囲第２２項記載の方法。
【請求項２４】
上記の成型を、押出、押出吹込成型、フィルム注型、フフィルム吹込成型、カレンダー成型、射出成型、吹込成型、圧縮成型、熱成形、または回転注型の1種以上で実施する請求の範囲第２３項記載の方法。
【請求項２５】
1種以上のモノマーを重合させて流体ポリマーを調製すること；および、
該ポリマーを合成した後直ぐに且つ流体ポリマー成分が固化する前に、上記流体ポリマー成分と分解剤成分を直接混合してブレンドを調製し且つ分解剤成分を上記流体ポリマー成分全体に亘って実質的に均質に分布させること；
の各工程から本質的になる分解剤成分を含有するポリマー成分の製造方法。
【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】  ａ）アリールアクリレート又はアリールメタクリレートを含む第１モノマー成分：
ｂ）少なくとも１つのエチレン性不飽和部を有する置換基を有する芳香環を有するモノマーを含む第２モノマー成分であって、アクリレート以外のもの；及び
ｃ）高水分ヒドロゲル形成モノマーを含む第３モノマー成分
を含む水和性コポリマー。
【請求項２】  ａ）エチレングリコールフェニルエーテルアクリレート及びポリエチレングリコールフェニルエーテルアクリレートからなる群より選ばれる第１モノマー成分を少なくとも２０質量％；
ｂ）置換スチレン及び未置換スチレンからなる群より選ばれる第２モノマー成分を少なくとも１０質量％；
ｃ）ヒドロキシエチルメタクリレート、ヒドロキシエトキシエチルメタクリレート及びメタクリル酸からなる群より選ばれる第３モノマー成分を少なくとも１０質量％；
ｄ）ジアクリレート及びジメタクリレートからなる群より選ばれる架橋剤を１０質量％未満
含む水和性コポリマーであって、屈折率が１．５０より高く、かつ、水和されたときに標準室温で折りたたみ可能である該コポリマー。
【請求項３】  水和性コポリマーを含む眼用デバイスであって、コポリマーが：
ａ）エチレングリコールフェニルエーテルアクリレート及びポリエチレングリコールフェニルエーテルアクリレートからなる群より選ばれる第１モノマー成分を少なくとも２０質量％；
ｂ）置換スチレン及び未置換スチレンからなる群より選ばれる第２モノマー成分を少なくとも１０質量％；
ｃ）ヒドロキシエチルメタクリレート、ヒドロキシエトキシエチルメタクリレート及びメタクリル酸からなる群より選ばれる第３モノマー成分を少なくとも１０質量％；及び
ｄ）ジアクリレート及びジメタクリレートからなる群より選ばれる架橋剤を１０質量％未満
を含み、１．５０より高い屈折率を有し、かつ、水和されたときに標準室温で折りたたみ可能である該デバイス。
【請求項４】  眼用デバイスが眼内レンズである請求項３に記載の眼用デバイス。
【請求項５】  眼内レンズを製造する方法であって、
ａ）アリールアクリレート又はアリールメタクリレートを含む第１モノマー成分；少なくとも１つのエチレン性不飽和部を有する置換基を有する芳香環を有するモノマーを含む第２モノマー成分であって、アクリレート以外のもの；及び高水分ヒドロゲル形成モノマーを含む第３モノマー成分を含み、標準室温より高いガラス転移温度を有する、硬質の水和性コポリマーを提供すること；
ｂ）所望の寸法を有する硬質眼内レンズを硬質コポリマーから形成すること；及び
ｃ）コポリマーを水和して、折りたたみ可能な、水和された眼内レンズを形成すること
を含み、該水和された眼内レンズの平衡水濃度が１０質量％未満であり、屈折率が１．５５より高いことを特徴とする該方法。
【請求項６】  コポリマーが、
コポリマーを水溶液中に置くこと；
水溶液の温度を４０℃まで次第に上昇させること；
水溶液の温度を４０℃で少なくとも１０分間維持すること；
水溶液の温度を６０℃まで次第に上昇させること；
水溶液の温度を６０℃で少なくとも１時間維持すること；及び
水溶液の温度を室温まで次第に低下させること
により水和される請求項５に記載の方法。
【請求項７】  眼用デバイスを眼に移植する方法であって、
乾燥時に室温で硬質であり、水和されたときに室温で折りたたみ可能であり、水和される水和性眼用デバイスを提供すること；
水和された眼用デバイスを含むシリンジを提供すること；及び
眼用デバイスを眼に注入すること
を含む該方法。
【請求項８】  ａ）第１モノマー成分、第２モノマー成分、第３モノマー成分及び架橋剤を混合して、反応混合物を形成すること、ここで、第１モノマー成分は、アリールアクリレート又はアリールメタクリレートを含み、第２モノマー成分は、少なくとも１つのエチレン性不飽和部を有する置換基を有する芳香環を有するモノマーを含み、アクリレート以外のものであり、かつ、第３モノマー成分は、高水分ヒドロゲル形成モノマーを含む；
ｂ）反応混合物を重合条件に付して、コポリマーを形成すること
を含む方法により形成されるコポリマー。
【手続補正書】
【提出日】平成15年6月27日(2003.6.27)
【手続補正１】
【補正対象書類名】明細書
【補正対象項目名】００４１
【補正方法】変更
【補正の内容】
【００４１】
結果として、UV照射下で青色の蛍光を有し、400nmよりも遙かに小さい平均粒径を有する蛍光体が得られた。
実施例６〜８
【手続補正２】
【補正対象書類名】明細書
【補正対象項目名】００４２
【補正方法】変更
【補正の内容】
【００４２】
比較のために、従来技術に従って固相合成により製造した慣用の燐光体を実施例６〜８として挙げた。
実施例１〜８の結果をTable１に示す。
Table１に示された粒径は、レーザー分散分析により決定したものである。


【手続補正３】
【補正対象書類名】明細書
【補正対象項目名】請求項７
【補正方法】変更
【補正の内容】
【請求項７】
請求項６に記載のルミネッセンス繊維であって、無水繊維総質量を基準として、５〜50重量％、好ましくは７〜40重量％、特に10〜20重量％の燐光体を含むことを特徴とするルミネッセンス繊維。
【手続補正書】
【提出日】平成15年7月15日(2003.7.15)
【手続補正１】
【補正対象書類名】明細書
【補正対象項目名】特許請求の範囲
【補正方法】変更
【補正の内容】
【特許請求の範囲】
【請求項１】
試料中の標的被検体検出用のマイクロ流体装置であって：
ａ）試料導入口；
ｂ）少なくとも１つのウエル入口を含む試料処理ウエル；
ｃ）該試料導入口と該試料処理ウエル入口との間の液体接触を可能とする第１マイクロチャンネル；
ｄ）検出モジュールであって
i) 検出電極；
ii)自己集合単層；
iii)結合リガンド；および、
iv)該試料を受けいれる検出導入口；を含むもの；
ｅ）該試料処理ウエル入口と該検出導入口との間の液体接触を可能とする第２マイクロチャンネル、
を含む固体支持体、を含んでなる装置。
【請求項２】
該試料処理ウエルおよび該検出電極が、同一の固体支持体上にある、請求項１に記載の装置。
【請求項３】
該試料処理ウエルが、試薬貯蔵ウエルである、請求項１に記載の装置。
【請求項４】
該試料処理ウエルが、細胞処理モジュールを含むものである、請求項１に記載の装置。
【請求項５】
該細胞処理ウエルが、細胞溶解ウエルを含むものである、請求項４に記載の装置。
【請求項６】
該細胞処理ウエルが、細胞除去ウエルを含むものである、請求項４に記載の装置。
【請求項７】
該細胞処理ウエルが、細胞濃縮ウエルを含むものである、請求項４に記載の装置。
【請求項８】
該細胞処理ウエルが、細胞分離ウエルを含むものである、請求項４に記載の装置。
【請求項９】
該試料処理ウエルが、分離モジュールを含むものである、請求項１に記載の装置。
【請求項１０】
該分離モジュールが、電気泳動モジュールを含むものである、請求項９に記載の装置。
【請求項１１】
該試料処理ウエルが、反応モジュールを含むものである、請求項１に記載の装置。
【請求項１２】
該標的被検体が核酸であり、該反応モジュールが核酸増幅モジュールを含むものである、請求項１１に記載の装置。
【請求項１３】
該試料処理ウエルが、温度モジュールを含むものである、請求項１に記載の装置。
【請求項１４】
さらにポンプを含む、請求項１に記載の装置。
【請求項１５】
該ポンプが電気浸透（ＥＯ）ポンプである、請求項１４に記載の装置。
【請求項１６】
該ポンプが電気流体力学（ＥＨＤ）ポンプである、請求項１４に記載の装置。
【請求項１７】
さらにバルブを含む、請求項１に記載の装置。
【請求項１８】
試料中の標的被検体検出用のマイクロ流体装置であって：
ａ）試料導入口；
ｂ）導出口を含む試薬貯蔵ウエル；
ｃ）検出モジュールであって
i)検出電極；
ii)自己集合単層；
iii)結合リガンド；
iv)該試料を受けいれる検出導入口；を含むもの；
ｄ）該試料導入口と該検出導入口との間の液体接触を可能とする第１マイクロチャンネル；および
ｅ）該導出口と該検出モジュールとの間の液体接触を可能とする第２マイクロチャンネル、
を含む固体支持体、を含んでなる装置。
【請求項１９】
試料中の標的被検体の検出方法であって：
ａ）該試料を；
i) ウエル導入口およびウエル導出口を含む少なくとも１つの試料処理ウエル；
ii)該試料導入口と該試料処理ウエルとの間の液体接触を可能とする第１マイクロチャンネル；
iii)検出電極であって
１）自己集合単層；
２）結合リガンド；および、
３）該試料を受けいれる検出導入口
を含むもの；および
iv)該試料処理ウエルと該検出導入口との間の液体接触を可能とする第２マイクロチャンネル、
を含む固体支持体を含むマイクロ流体装置の試料導入口に導入し；そして、
ｂ）該標的被検体の存在を検出する；
ことを含んでなる方法。
【請求項２０】
該試料処理ウエルおよび該検出電極が、同一の固体支持体上にある、請求項１９に記載の方法。
【請求項２１】
該支持体が、さらに試薬貯蔵ウエルを含むものである、請求項１９に記載の方法。
【請求項２２】
該試料処理ウエルが、細胞処理モジュールを含むものである、請求項１９に記載の方法。
【請求項２３】
該細胞処理ウエルが、細胞溶解ウエルを含むものである、請求項２２に記載の方法。
【請求項２４】
該細胞処理ウエルが、細胞除去ウエルを含むものである、請求項２２に記載の方法。
【請求項２５】
該細胞処理ウエルが、細胞濃縮ウエルを含むものである、請求項２２に記載の方法。
【請求項２６】
該細胞処理ウエルが、細胞分離ウエルを含むものである、請求項２２に記載の方法。
【請求項２７】
該試料処理ウエルが、分離モジュールを含むものである、請求項１９に記載の方法。
【請求項２８】
該分離モジュールが、電気泳動モジュールを含むものである、請求項２７に記載の方法。
【請求項２９】
該試料処理ウエルが、反応モジュールを含むものである、請求項１９に記載の方法。
【請求項３０】
該標的被検体が核酸であり、該反応モジュールが核酸増幅モジュールを含むものである、請求項２９に記載の方法。
【請求項３１】
該試料処理ウエルが、温度モジュールを含むものである、請求項１９に記載の方法。
【請求項３２】
該固体支持体がさらにポンプを含む、請求項１９に記載の方法。
【請求項３３】
該ポンプが電気浸透（ＥＯ）ポンプである、請求項３２に記載の方法。
【請求項３４】
該ポンプが電気流体力学（ＥＨＤ）ポンプである、請求項３２に記載の方法。
【請求項３５】
該支持体がさらにバルブを含む、請求項１９に記載の方法。
【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
少なくとも、取り付け物（１１）により、特にエネルギー−吸収モジュール（１１）により乗物の横バー（１０）に接合されている、緩衝バー（５）を伴う緩衝装置の基礎体（４）を含んでなる自動車、なかでも乗用車のための安全緩衝装置であって、取り付け物（１１）の上方にはエネルギー−吸収素子（９；３２，３３，３９，４１；５２，６０）及び／又は取り付け物（１１）の下方にはエネルギー−吸収素子（１７，２０；３８，４６；６４）が付いており、それらが衝撃センサー（６）により調節可能であり、そして衝撃センサー（６）による作動後に、エネルギー−吸収素子の、衝撃により引金を引かれた起動現象事象において、エネルギー−吸収素子が緩衝装置の基礎体（４）のフロント側と共通のフロント部を形成するように、緩衝装置の基礎体（４）の上方及び／又は下方に緩衝装置の基礎体（４）のフロント側と連続した輪郭を形成することを特徴とする安全緩衝装置。
【請求項２】
取り付け物（１１）の上方に配置されたエネルギー−吸収素子が、当該取り付け物（１１）の上又は後方に好ましくはフラップ（３）の下方に折り畳まれた状態で付いており、その点火装置が制御ライン（１２）により衝撃センサー（６）に電気的に接続されているエアバッグ（９）であることを特徴とする、請求項１記載の安全緩衝装置。
【請求項３】
取り付け物（１１）の上方に配置されたエネルギー−吸収素子が、取り付け物（１１）上又はその後方に好ましくは移動可能な上部フラップ（５２）の下方に折り畳まれた様態で付いており、その点火装置が制御ライン（１２）により衝撃センサー（６）に電気的に接続されており、そして衝撃センサー（６）による起動後に開放された上部フラップ（５２、６８）と一緒になって緩衝装置の基礎体（４）のフロント側と連続した輪郭を形成するエアバッグ（９）であることを特徴とする、請求項１記載の安全緩衝装置。
【請求項４】
取り付け物（１１）の上方に配置されたエネルギー−吸収素子が、上部緩衝フラップ（３２）、その下方に配置された滑動板（３３）及び駆動装置（３９）を伴う持ち上げシステム（４１）の組み合わせ物であることを特徴とし、駆動装置（３９）が制御ライン（１２）により衝撃センサー（６）に電気的に接続され、そして衝撃センサー（６）による駆動装置（３９）の起動後に、延伸された上部緩衝フラップ（４９）及び延伸された滑動板（４８）が緩衝装置の基礎体（４）のフロント側と連続した輪郭を形成する、請求項１記載の安全緩衝装置。
【請求項５】
取り付け物（１１）の下方に配置されたエネルギー−吸収素子が、好ましくは緩衝装置の一番下部の部分（５７）の下方に折り畳まれた状態で付いており、そしてその点火装置が衝撃センサー（６）に制御ライン（１２）により電気的に接続されているエアバッグ（６４）であることを特徴とする、請求項１〜４のうちの１項に記載の安全緩衝装置。
【請求項６】
取り付け物（１１）の下方に配置されたエネルギー−吸収素子が、移動可能な底部フラップ（１６）の下方に折り畳まれた状態で付いており、その点火装置が制御ライン（１２）により衝撃センサー（６）に電気的に接続されており、そして衝撃センサー（６）による作動後に開放されたフラップ（２０）と一緒になって緩衝装置の基礎体（４）のフロント側と連続した輪郭を形成するエアバッグ（１５）であることを特徴とする、請求項１〜４に記載の安全緩衝装置。
【請求項７】
取り付け物（１１）の下方に配置されたエネルギー−吸収素子が、緩衝装置の基礎体（４）、前記の下方に配置された底部滑動板（３８）及び、駆動装置（４４）を伴う底部持ち上げシステム（４６）の組み合わせ物であることを特徴とし、駆動装置（４４）が制御ライン（１２）により衝撃センサー（６）に電気的に接続されており、そして衝撃センサー（６）による駆動装置（４４）の起動後に、延伸された底部滑動板（３８）が緩衝装置の基礎体（４）と連続した輪郭を形成する、請求項１〜４記載の安全緩衝装置。
【請求項８】
フラップ（３）、上部フラップ（５２）、上部緩衝フラップ（３２）又は底部フラップ（１６）が相互に独立して、なかでもＴＰＥ（熱可塑性エラストマー）又はＴＰＵ（熱可塑性ポリウレタン）から製造された柔軟なプラスチックの部品（２）により緩衝装置の基礎体（４）に移動可能に接合されており、取り付け物（１１）がエネルギー−吸収性プラスチック発泡体又はプラスチック壁体であることを特徴とする、請求項２、３、４、６又は７のうちの１項に記載の安全緩衝装置。
【請求項９】
取り付け物（１１）の上方に配置されたエネルギー−吸収素子（９；３２，３３，３９，４１；５２，６０）及び／又は取り付け物（１１）の下方のエネルギー−吸収素子（１７，２０；３８，４６；６６）が追加の支持壁（２２）により自動車のフロント先端（２１）に接合されており、衝撃センサー（６）が自動車の速度に応じて、好ましい様態においては、８ｋｐｈ、なかでも１０ｋｐｈより上の速度でのみトリップすることを特徴とする、請求項１〜８のうちの１項に記載の安全緩衝装置。
【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】  （ｉ）３３５８、２７６４、１２４５、８３３および７６０ｃｍ−１にピークを含む赤外スペクトルを生じ；そして／あるいは
（ｉｉ）１５．０、１７．７、２３．０、３０．０および３１．４°２θにピークを含むＸ線粉末回折（ＸＲＰＤ）パターンを生じる
ことを特徴とする、５−［４−［２−（Ｎ−メチル−Ｎ−（２−ピリジル）アミノ）エトキシ］ベンジル］チアゾリジン−２，４−ジオン，塩酸塩１水和物。
【請求項２】  実質的に図Ｉに示す赤外スペクトルを生じる請求項１記載の水和物。
【請求項３】  実質的に図ＩＩに示すＸ線粉末回折（ＸＲＰＤ）パターンを生じる請求項１または２に記載の水和物。
【請求項４】  単離形態の請求項１ないし３のいずれか１項に記載の水和物。
【請求項５】  純粋な形態の請求項１ないし４のいずれか１項に記載の水和物。
【請求項６】  結晶形態の請求項１ないし５のいずれか１項に記載の水和物。
【請求項７】  下記のいずれかの工程を行った後、所望化合物を回収することを特徴とする請求項１記載の水和物の製造方法：
（ａ）溶媒としての酢酸中で５−［４−［２−（Ｎ−メチル−Ｎ−（２−ピリジル）アミノ）エトキシ］ベンジル］チアゾリジン−２，４−ジオン（化合物Ｉ）を塩酸塩イオン源で処理すること；
（ｂ）２０℃ないし３０℃の範囲の温度において適当な水性有機溶媒中の化合物（Ｉ）の懸濁液を塩酸塩イオン源で処理すること；あるいは
（ｃ）有機溶媒中の化合物（Ｉ）の溶液を塩酸塩イオン源で処理して実質的に溶解した反応物を得て、次いで、結晶化させて水和物を得る。
【請求項８】  有効で無毒の量の請求項１記載の水和物およびそのための医薬上許容される担体を含む医薬組成物。
【請求項９】  活性治療物質として使用される請求項１記載の水和物。
【請求項１０】  糖尿病、糖尿病関連症状およびそれらのある種の合併症の治療および／または予防に使用される請求項１記載の水和物。
【請求項１１】  糖尿病、糖尿病関連症状およびそれらのある種の合併症の治療および／または予防のための医薬の製造のための水和物の使用。
【請求項１２】  ヒトまたは非ヒト哺乳動物における糖尿病、糖尿病関連症状およびそれらのある種の合併症の治療および／または予防のための方法であって、糖尿病、糖尿病関連症状およびそれらのある種の合併症の治療および／または予防を必要とするヒトまたは非ヒト哺乳動物に有効で無毒の量の水和物を投与することを特徴とする方法。
【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】  回転軸線Ａのまわりで回転できる切削工具組立体（１０）であって、
工具（１２）及び
工具の周囲方向に分布されたインサート受入れ用ポケット（５１）内に把持された複数の置換可能な切削用インサート（１４）
を備え、
工具は、
工具ボデー（２０）、及び
工具ボデーに付加されたクラウン（１８）
を備え、
工具ボデーは、周囲（２７）を有する周囲部分（３０）と内部部分（３１）とに分割された前面（２６）を有し、周囲部分は、周囲方向で等しく分布され実質的に半径方向に向けられた凹所（３２）を有し、形状が円錐台状でありかつ周囲から角度αで傾斜して内部部分に向かって内向き後方に向けられ、
クラウン（１８）は、前面（４０）、背面（４２）、これらの間の周囲の側面（４１）、及び周囲方向に分布され略半径方向に向けられ前面、背面及び周囲の側面に開口している複数のインサート受入れ用スロット（５０）を有し、
インサート受入れ用ポケット（５１）は、工具ボデー前面（２６）の周囲部分（３０）により軸方向の境界を定められたインサート受入れ用スロット（５０）を備え、
各インサート受入れ用ポケット（５１）が、内部に切削用インサートを位置決めするためにそれぞれ略接線方向、半径方向及び軸方向に向けられた接線方向、半径方向及び軸方向の当たり面（５４、５２、３０）を有し、軸方向当たり面は工具ボデーの前面（２６）の周囲部分（３０）の一部分であり、
各インサート受入れ用ポケットは内部に把持されたインサートの少なくも一部分が半径方向で工具より先に伸びるように半径方向で開かれている
切削工具組立体（１０）。
【請求項２】  前記切削用インサート（１４）が同じ頂面（５６）と底面（５８）及び頂面と底面との間の側面（６０）を有し、切削用インサートは頂面と底面とに垂直でかつこれらの中心を通過する割出し用対称軸Ｂまわりで割出し可能でありかつ頂面と底面とに平行な中央面Ｍまわりに鏡映対称であり、頂面と底面とはそれぞれ頂部エッジと底部エッジにおいて側面と出会い、エッジの少なくも一方の少なくも一部分はすくい面（６６）を有する切れ刃であり、中間面Ｍに関して鋭角の角度γに向けられた軸方向当たり面（８２）は頂部エッジ及び底部エッジから軸Ｂに向かって内向きに伸びて中間面Ｍにおいて合流し、連続して伸びている接線方向当たり面（７２）はすくい面（６６）と合流しかつ軸Ｂに垂直である請求項１による切削工具組立体。
【請求項３】  切れ刃が、側面に、切れ刃から軸方向当たり面に伸びている逃げ面（８０）を有する請求項２による切削工具組立体。
【請求項４】  組み立てられたとき、切削用インサート（１４）の軸方向当たり面（８２）が工具ボデーの前面（２６）の周囲部分（３０）に当たり、切削用インサート（１４）の少なくも１個の逃げ面（８０）がクラウン（１８）の半径方向当たり面（５２）に当たり、切削用インサート（１４）の接線方向当たり面（７２）がクラウン（１８）の接線方向当たり面（５４）に当たり、そして切削用インサートは前端に前方当たり部分（１７）を有し一般に軸方向に向けられたクランプ用ねじ（１６）の手段により工具（１２）に把持される請求項３による切削工具組立体。
【請求項５】  正八角形の形状を有し、頂面（５６）、底面（５８）及びこれらの間の側面（６０）を有し、更に割出し用対称軸Ｂまわりで割出し可能でありかつ頂面と底面とに平行な中央面Ｍまわりで鏡映対称である切削用インサートであって、
頂面及び底面の各は８個の切れ刃（６２）において側面と出会い、隣接した切れ刃（６２）は切削コーナー（６４）において出会い、ランド（６５）は頂面と底面の各において切れ刃（６２）及び切削コーナー（６４）と合流し、ランド（６５）は切れ刃（６２）に隣接したエッジ部分（６８）及び切削コーナー（６４）に隣接したコーナー部分（７０）を有するすくい面（６６）と合流し、
連続した接線方向当たり面（７２）が切削用インサートの内向き方向ですくい面と合流し、前記接線方向当たり面は中間面Ｍから切れ刃より遠い距離に置かれ、平坦であり、軸Ｂに垂直でありかつ好ましくは研摩され、接線方向当たり面（７２）は各コーナー部分（７０）と合流する半径方向に伸びている突出部を有し、
クランプ面（７６）が、接線方向当たり面（７２）から軸Ｂに向かいかつ中間面Ｍに向かって内向き方向に伸び更に中間面Ｍに関して角度βに向けられ、
好ましくは研摩された負の逃げ面（８０）が、側面（６０）において切れ刃（６２）及び切削コーナー（６４）と合流し、
好ましくは研摩されかつ中間面Ｍに関して鋭角の角度γに向けられた軸方向当たり面（８２）が、逃げ面８０から軸Ｂに向かって内向きに伸びそして中間面Ｍにおいて合流する
切削用インサート（１４）。
【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  ａ）電解質を含む膜層と、ｂ）ナノ構造素子を備え、該素子の体積の０％を越えて９９％未満が前記膜層中に埋め込まれる少なくとも１つの電極層とを備える膜電極集成体。
【請求項２】  ａ）イオン伝導性電解質を含む膜層と、ｂ）ナノスコピックな触媒粒子を含む少なくとも１つの電極層とを含む膜電極集成体であって、前記粒子の０％を超えて９９％未満が前記膜層に接触し、前記膜電極集成体が、前記膜の外部に追加のイオン伝導性電解質を含まない、膜電極集成体。
【請求項３】  ａ）電解質を含む膜層と、ｂ）少なくとも１つの電極層とを含む、請求項１又は２項記載の膜電極集成体を製造する方法であって、下記の方法Ｉ、方法ＩＩまたは方法ＩＩＩの工程を含む方法。
ａ）非水性溶剤に暴露して過フルオロスルホン酸ポリマー電解質を含む膜を予備処理するステップと、
ｂ）予備処理した膜および電極粒子を一緒に圧縮して、前記電極粒子が前記膜に移着し、前記膜集成体を形成するステップと、を含む方法Ｉ、
ａ）電解質を含む膜とナノ構造素子とを一緒に圧縮して、前記素子を前記膜の表面に移着し、前記素子の５％〜１００％が２つ以上の部分に切断されて、前記膜電極集成体を形成するステップ、を含む方法ＩＩ、または、
ａ）ナノ構造素子を電極支持層の第１表面に適用するステップと、
ｂ）前記電極支持層の前記第１表面を、電解質を含む膜層に結合して、前記膜集成体を形成するステップと、を含む方法ＩＩＩ。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
タンパク質が、アミノ酸コンセンサス配列
【化１】
2001520886.tif 000001
ここで、「−」はアミノ酸を示し、アスタリスクが付されている場合、アミノ酸の数は変動しうる；
の少なくとも１つを含有してなるものであり、かつ、配列番号：１〜７のＤＮＡにより、及び縮重遺伝コードを介してこのＤＮＡに関連するＤＮＡによりそれぞれコードされるものである、ｗｎｔシグナル経路の阻害タンパク質。
【請求項２】
ＤＮＡがそれぞれ、配列番号：１〜７のＤＮＡ及び縮重遺伝コードを介してこのＤＮＡに関連するＤＮＡである、請求項１記載のタンパク質をコードするＤＮＡ。
【請求項３】
請求項２記載のＤＮＡを含有してなる発現プラスミド。
【請求項４】
請求項３記載の発現プラスミドを含む形質転換体。
【請求項５】
好適な条件下に請求項４記載の形質転換体を培養する工程を含む、請求項１記載のタンパク質の調製方法。
【請求項６】
請求項５記載のタンパク質に対する抗体。
【請求項７】
診断的に及び／又は治療的にｗｎｔシグナル経路を阻害するための、請求項１記載のアミノ酸コンセンサス配列Ｉ及びＩＩの少なくとも１つを含有してなるタンパク質をコードするＤＮＡ。
【請求項８】
診断的に及び／又は治療的にｗｎｔシグナル経路を阻害するための、請求項１記載のアミノ酸コンセンサス配列ＩおよびＩＩの少なくとも１つを含有してなるタンパク質。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】  基端と遠端とを備えた外管と、基端と遠端とを有し前記外管内に配置されかつ前記外管の前記遠端を超えて延びる中央管と、基端が前記外管の前記遠端に装着され遠端が前記中央管の前記遠端に装着されたバルーン膜とを含む、大動脈バルーンカテーテルであって、前記バルーン膜の外表面上に、バルーン膜表面の摩擦係数を減じる非付着コーティングを含む、大動脈バルーンカテーテル。
【請求項２】  非付着コーティングが医療用シリコーンである、請求項１に記載の大動脈バルーンカテーテル。
【請求項３】  基端と遠端とを備えた外管と、基端と遠端とを備えた第１の部分および基端と遠端とを備えた第２の部分を有する中央管と、基端と遠端とを備えたバルーン膜とを含み、中央管の第１の部分が外管内に配置され、中央管の第２の部分が超弾性金属合金からなり前記外管の遠端を超えて延びており、中央管の第１の部分の遠端が中央管の第２の部分の基端に装着され、バルーン膜の基端が外管の遠端に装着され、バルーン膜の遠端が中央管の第２の部分の遠端に装着される、大動脈バルーンカテーテル。
【請求項４】  超弾性金属合金がニチノールである、請求項３に記載の大動脈バルーンカテーテル。
【請求項５】  共ルーメン押出管と、基端および遠端を有するバルーン膜とを含む大動脈バルーンカテーテルであって、前記共ルーメン押出管は基端、第１の遠端、第２の遠端、内表面、外表面、共ルーメン押出管の内表面と外表面との間にあり共ルーメン押出管の基端から共ルーメン押出管の第２の遠端へと延びる内部ルーメン通路、を有し、外部ルーメン通路が共ルーメン押出管の内表面によって規定されかつ共ルーメン押出管の基端から共ルーメン押出管の第１の遠端まで延び、内部ルーメン通路と外部ルーメン通路とは共ルーメン押出管の内表面の共通部分によって部分的に規定され、共ルーメン押出管の第２の遠端は共ルーメン押出管の第１の遠端よりさらに遠位にあり、内部ルーメン通路は共ルーメン押出管の第１の遠端を超えて延びかつ外部ルーメン通路より長く、バルーン膜の基端は共ルーメン押出管の第１の遠端に装着され、バルーン膜の遠端は共ルーメン押出管の第２の遠端に装着される、大動脈バルーンカテーテル。
【請求項６】  共ルーメン押出管と、基端および遠端を有する内管と、基端および遠端を有するバルーン膜とを含む、大動脈バルーンカテーテルであって、前記共ルーメン押出管は基端、第１の遠端、第２の遠端、内表面および外表面を有し、内管の基端は共ルーメン押出管の第２の遠端に装着され、共ルーメン押出管の内表面と外表面との間で内管の
内側に内部ルーメン通路が存在しかつ共ルーメン押出管の基端から内管の遠端に延び、前記内部ルーメン通路は共ルーメン押出管内に存在する第１の部分と、連通する内管内に存在する第２の部分とを有し、外部ルーメン通路が共ルーメン押出管の内表面によって規定され共ルーメン押出管の基端から共ルーメン押出管の第１の遠端まで延び、外部ルーメン通路と内部ルーメン通路の共ルーメン押出管内にある部分とが共ルーメン押出管の内表面の共通部分によって部分的に規定され、共ルーメン押出管の第２の遠端は共ルーメン押出管の第１の遠端よりさらに遠位にあり、内部ルーメン通路は共ルーメン押出管の第１の遠端を超えて延びかつ外部ルーメン通路より長く、バルーン膜の基端は共ルーメン押出管の第１の遠端に装着され、バルーン膜の遠端は内管の遠端に装着される、大動脈バルーンカテーテル。
【請求項７】  内管が超弾性金属合金で形成される、請求項６に記載の大動脈バルーンカテーテル。
【請求項８】  内管がニチノールからなる、請求項６に記載の大動脈バルーンカテーテル。
【請求項９】  内管が内表面と外表面とを有し、基端からすぐ遠端側にある内管部分が外表面から内表面に延びる螺旋状の切込を有する、請求項６に記載の大動脈バルーンカテーテル。
【請求項１０】  内管が共ルーメン押出管の第２の遠端に装着される位置で内管に留められた放射線不透過のマーカをさらに含む、請求項６に記載の大動脈バルーンカテーテル。
【請求項１１】  非付着性コーティングがＭＤＸ４４１５９である、請求項１に記載の大動脈バルーンカテーテル。
【請求項１２】  共ルーメン押出管が硬度８０Ａから８０Ｄの３つのポリウレタン材料、すなわち
１）  重量で０−７０％の、第１の硬度を有するポリウレタン；
２）  重量で３０−６０％の、５ないし１０硬度単位であって第１の硬度より軟らかい第２の硬度を有するポリウレタン；および
３）  重量で０−５０％の、５ないし１０硬度単位であって第２の硬度より軟らかい第３の硬度を有するポリウレタン
の組成物から形成される、請求項６に記載の大動脈バルーンカテーテル。
【請求項１３】  共ルーメン押出管が３つのポリウレタン材料、すなわち
１）  重量で０−７０％の、５５Ｄないし８０Ｄの硬度を有するポリウレタン；
２）  重量で３０−６０％の、１００Ａないし６５Ｄの硬度を有するポリウレタン；および
３）  重量で０−５０％の、８０Ａないし５５Ｄの硬度を有するポリウレタン
の組成物から形成される、請求項６に記載の大動脈バルーンカテーテル。
【手続補正書】
【提出日】平成15年4月10日(2003.4.10)
【手続補正１】
【補正対象書類名】明細書
【補正対象項目名】特許請求の範囲
【補正方法】変更
【補正の内容】
【特許請求の範囲】
【請求項１】
少なくとも1つの鉱化セグメントと少なくとも１つの脱鉱化された可撓性セグメントとを備える部分的に脱鉱化された骨インプラントであって、該インプラントが２つまたはそれ以上の身体部分の間に取り付けられた場合に、該脱鉱化された可撓性セグメントが、靭帯、腱、または可撓性副木として働くのに十分な可撓性を有する骨インプラント。
【請求項２】
鉱化セグメントまたは脱鉱化セグメントが、溝、雄ねじ、雌ねじ、ドライバ・ヘッド、凹部、および対称形状または非対称形状から選択された所望のフィーチャを有するように切削される請求項１記載のインプラント。
【請求項３】
インプラントを骨に固定できるように適合された少なくとも１つの切削済み鉱化端部またはセグメントを備える、請求項２記載のインプラント。
【請求項４】
請求項１記載の部分的に脱鉱化された骨インプラントであって、鉱化セグメントと脱鉱化セグメントとの間に、鉱化骨から脱鉱化骨へ徐々に遷移するゾーンをさらに備える骨インプラント。
【請求項５】
請求項２記載の部分的に脱鉱化された骨インプラントであって、インプラントの切削済み鉱化端部を受容するように適合された骨に該インプラントを固定できるように適合された２つの切削済み鉱化端部を備え、該脱鉱化セグメントが、該２つの切削済み鉱化端部の間で延びる骨インプラント。
【請求項６】
請求項１記載の部分的に脱鉱化された骨インプラントであって、鉱化セグメントがインプラントの端部を形成し、この端部が、保持ねじ、保持ピン、縫合線、またはねじ山を受容する雄ねじ、穴、または雌ねじを有するように切削され、該インプラントが、該インプラントの該切削済み鉱化端部または該脱鉱化セグメントを受容するように適合された骨に取り付けられるように構成された骨インプラント。
【請求項７】
請求項４記載の部分的に脱鉱化された骨インプラントであって、２つの切削済み鉱化端部を備え、該各端部が、ねじ山、セルフタッピングねじ山、保持ピンもしくは保持ねじを受容する穴、または保持ねじを受容する雌ねじを有するように切削され、該インプラントが取り付けられる骨が該インプラントを受容するように適合される骨インプラント。
【請求項８】
請求項５記載の部分的に脱鉱化された骨インプラントであって、該インプラントを時計回りまたは逆時計回りのいずれかに回転させたときに、両端が、該インプラントを受容するように適合された骨に同時に挿入されるか、またはこの骨から同時に抜き取られるように、該各端部の該ねじ山が画定される骨インプラント。
【請求項９】
請求項３記載の部分的に脱鉱化された骨インプラントであって、少なくとも１つの切削済み鉱化端部が、相補的な様式で切削された骨に該インプラントを固定できるように適合され、靭帯または腱として働くのに十分な可撓性を有する脱鉱化セグメントが、骨、筋肉、腱、または靭帯に該脱鉱化セグメントを固定できるように適合された脱鉱化セグメントで終わる骨インプラント。
【請求項１０】
インプラントが、第１の骨と第２の骨との間、骨と筋肉との間、骨と腱との間、または骨と靭帯との間に取り付けられるように構成される、請求項１記載の部分的に脱鉱化された骨インプラント。
【請求項１１】
２つの皮質端部と、１つの軟性で可撓性の脱鉱化された骨内部領域とを有する、ダウエルまたは大腿輪の形状である請求項１記載のインプラント。
【請求項１２】
管が内部に存在する請求項１１記載のインプラント。
【請求項１３】
インプラントが、隣接する推骨体の間に挿入されるように構成される、請求項１１記載のインプラント。
【請求項１４】
インプラント全体にわたって、またはインプラントの一部にカニューレが挿入される請求項１記載のインプラント。
【請求項１５】
脱鉱化された骨で製作された縦長の人工靭帯または人工腱を第１の身体部分と第２の身体部分との間に取り付けることを含み、該人工靭帯が、修復すべき領域の構成に整合するような形状にされるのに十分な可撓性を有するようにコンプライアンス弾性と高長手方向強度との両方を有する、該第１の身体部分と該第２の身体部分との間の領域内の損傷した線維性結合組織を置換または補強するための改良された方法であって、部分的な脱鉱化の前に骨の少なくとも一端を切削し、脱鉱化されていない少なくとも１つの固定端部を作製し、このように切削された骨のセグメントを脱鉱化して可撓性セグメントを作製することを含む方法。
【請求項１６】
人工靭帯または人工腱が、２つの切削済み鉱化端部と中間可撓性脱鉱化セグメントとを備える請求項１５記載の方法。
【請求項１７】
損傷した靭帯または腱を置換または補強する方法であって、切削された部分的に脱鉱化された骨インプラントを、第１の骨と第２の骨との間、骨と第２の骨上の靭帯との間、または骨と筋肉の腱セグメントとの間に取り付けることを含む方法。
【請求項１８】
腱インプラントまたは靭帯インプラントを製造する方法であって、実質的に皮質の骨のセグメントを任意の所望の形状に切削する段階、骨に直接固定される少なくとも１つの端部を切削する段階、および脱鉱化セグメントが腱置換物または靭帯置換物として働くのに十分な可撓性および弾性を得るように該実質的に皮質の骨のセグメントを部分的に脱鉱化する段階を含む方法。
【請求項１９】
請求項１８記載の方法によって製造されたインプラント。
【請求項２０】
可撓性脱鉱化中央部および２つの鉱化突起を備える請求項１記載のインプラント。
【請求項２１】
鉱化突起が、鋸歯形縁部、ねじ山、およびリビングから選択される外部フィーチャを有する請求項２０記載のインプラント。
【請求項２２】
拡大中央部の脱鉱化骨からなる荷重分散可撓性ヒンジと、本質的に鉱化骨からなる互いに逆方向に突き出る一対の遠位ステム部および近位ステム部とを有する皮質骨を備える補綴関節インプラント。
【請求項２３】
中央部の底面（volar aspect）が、幅を横切るくぼみまたは横方向チャネルを有するように切削される請求項２２記載の補綴関節。
【請求項２４】
互いに逆方向に突き出る遠位ステム部および近位ステム部が、インプラントで置き換えられる関節に隣接する骨の髄内空間に挿入されるように構成される、請求項２３記載の補綴関節。
【請求項２５】
隣接する骨の髄内空間に各端部が挿入されたときに、端部が所定の位置に固定されるように、ステム部が、保持ピンもしくは一連の保持ピン、鋸歯型縁部、または歯止め構造を受容する雄ねじ、雌ねじ、穴、または一連の穴を有するように切削される請求項２４記載の補綴関節。
【請求項２６】
中手指節関節、近位指節間関節などの関節を、部分的に脱鉱化された骨を備えるインプラントで置き換えることを含む関節形成方法。
【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】  ａ）酸化性有機化合物を含む物品を提供する段階と、
ｂ）物品をチャンバーに通す段階と、
ｃ）物品に少なくとも１００ｍＪ／ｃｍ２の化学線量を提供するために十分な波長、強度及び滞留時間で物品をチャンバー内で化学線源に暴露する段階と、
ｄ）チャンバーの内側の温度を少なくとも５５°Ｆまで上げるために十分な熱源にチャンバー内で物品を暴露する段階を含む方法。
【請求項２】  ａ）酸化性有機化合物を含む物品に少なくとも１００ｍＪ／ｃｍ２の化学線量を提供するために十分な波長、強度及び滞留時間で化学線を放射するための手段を含むチャンバーと、
ｂ）チャンバーの内側の温度を少なくとも５５°Ｆまで上げるための手段と、
ｃ）物品をチャンバーに出し入れするための手段を含む装置。
【請求項３】  チャンバーの温度を上げるための手段が、
ｉ）熱送風機、
ｉｉ）熱銃、
ｉｉｉ）赤外線ヒーター、
ｉｖ）空気循環システム付き温度調節カートリッジヒーター、及び
ｖ）チャンバー内雰囲気と熱交換する密閉熱流体循環システムから選択される請求項２に記載の装置。
【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】  ａ）酸化性有機化合物及び感覚刺激性化合物を含有する物品を用意すること、
ｂ）この物品を、物品を処理するための手段の方に前進させることであって、物品を処理するための手段は、処理媒体及び処理媒体を物品に適用するための手段を含む、並びに
ｃ）処理媒体を物品の表面に適用して、物品中の感覚刺激性化合物の量を低下させること
を含む方法。
【請求項２】  処理媒体を物品の表面に適用した後、更に物品を、物品の表面から処理媒体を除去するための手段の方に前進させ、そして物品の表面から処理媒体の幾らかを除去することを含む、請求項１に記載の方法。
【請求項３】  ａ）酸化性有機化合物及び感覚刺激性化合物を含有する物品を、物品中の感覚刺激性化合物の量を低下させるように処理するための手段であって、物品を処理するための手段は、
ｉ）処理媒体及び
ｉｉ）処理媒体を物品の表面に適用するための手段を含む、並びに
ｂ）この物品を、物品を処理するための手段の方に前進させるための手段を含む装置。
【請求項４】  ａ）化学線を発射するための手段及び
ｂ）作動化された物品を得るために、物品を、化学線を発射するための手段の方に前進させるための手段
を含む、請求項３に記載の装置。
【手続補正書】
【提出日】平成16年7月2日(2004.7.2)
【手続補正１】
【補正対象書類名】明細書
【補正対象項目名】請求項３
【補正方法】変更
【補正の内容】
【請求項３】  前記はんだ合金が、リン １０〜２０原子％、ニッケル ２〜５原子％、スズ ０〜１５原子％、マンガン ０〜５．５原子％、そして残部は銅から成る、請求項１又は２に記載のろう付け用ペースト。
【手続補正２】
【補正対象書類名】明細書
【補正対象項目名】請求項７
【補正方法】変更
【補正の内容】
【請求項７】  前記熱可塑性有機バインダー系が、ポリイソブテン３０〜５０質量％及びパラフィン７０〜５０質量％から成る、請求項１から６までのいずれか１項に記載のろう付け用ペースト。
【手続補正３】
【補正対象書類名】明細書
【補正対象項目名】請求項１１
【補正方法】変更
【補正の内容】
【請求項１１】  内燃機関のラジエータの製造における請求項１０記載のろう付け用ペーストの使用。
【手続補正４】
【補正対象書類名】明細書
【補正対象項目名】発明の名称
【補正方法】変更
【補正の内容】
【発明の名称】フラックスを含まないろう付け用ペースト
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
天然ヒトインターフェロン（ＩＦＮ）αタンパク質のポリペプチドアナログであって、ここで、天然ＩＦＮαタンパク質の１〜２７番目の残基の配列に対応する、該アナログのアミノ酸の配列が、２２番目に対応するアミノ酸残基で、Ｓｅｒ、Ｔｈｒ、Ａｓｎ、ＧｌｎまたはＧｌｙの存在のみでしか、該天然ＩＦＮα中の該対応する配列と異なるのではない場合、該１９番目、２０番目、２２番目、２４番目、および２７番目のアミノ酸のうち１以上のアミノ酸で、該天然ＩＦＮαタンパク質とは異なり、
そして、ここで、該アナログは、以下：
（ａ）少なくとも２０００抗ウイルスユニット／ｍｌの該アナログを含む培養培地中で、７日間、ＰＢＭＣの第１のサンプルをインキュベートする工程；
（ｂ）抗ウイルスユニット／ｍｌと等しい濃度の該天然ＩＦＮαを有する培養培地中で、７日間、ＰＢＭＣの第２のサンプルをインキュベートする工程；および
（ｃ）該第１のサンプル中に残存する生存可能な細胞のパーセントと、該第２のサンプル中に残存する生存可能な細胞のパーセントを比較する工程であって、これによって、生存可能な細胞のより高いパーセントが、該培養培地中の該アナログの相対的に低い細胞毒性を示す、工程
を包含するアッセイにおいて、該天然ＩＦＮαと比較して低い細胞毒性を示し得る、ポリペプチドアナログ。
【請求項２】
請求項１に記載のポリペプチドアナログであって、前記対応する天然アミノ酸残基とは異なる、前記天然ＩＦＮαの１９番目、２０番目、２２番目、２４番目、および２７番目に対応する前記アミノ酸残基が、非保存的アミノ酸置換として該天然アミノ酸残基と関連する、ポリペプチドアナログ。
【請求項３】
前記１９番目に対応するアミノ酸残基が、Ａｓｎ、Ａｓｐ、ＧｌｎまたはＧｌｕである、請求項２に記載のポリペプチドアナログ。
【請求項４】
前記１９番目に対応するアミノ酸残基が、Ａｓｐである、請求項２に記載のポリペプチドアナログ。
【請求項５】
前記２０番目に対応するアミノ酸残基が、Ｈｉｓ、Ａｒｇ、またはＬｙｓである、請求項２に記載のポリペプチドアナログ。
【請求項６】
前記２０番目に対応するアミノ酸残基が、Ａｒｇである、請求項２に記載のポリペプチドアナログ。
【請求項７】
前記２２番目に対応するアミノ酸残基が、Ａｓｎ、Ａｓｐ、ＧｌｎまたはＧｌｕである、請求項２に記載のポリペプチドアナログ。
【請求項８】
前記２２番目に対応するアミノ酸残基が、Ａｓｎである、請求項２に記載のポリペプチドアナログ。
【請求項９】
前記２７番目に対応するアミノ酸残基が、Ｈｉｓ、Ａｒｇ、またはＬｙｓである、請求項２に記載のポリペプチドアナログ。
【請求項１０】
前記２７番目に対応するアミノ酸残基が、Ｈｉｓである、請求項２に記載のポリペプチドアナログ。
【請求項１１】
前記２４番目に対応するアミノ酸残基が、Ｉｌｅ、Ｌｅｕ、ＶａｌまたはＭｅｔである、請求項１に記載のポリペプチドアナログ。
【請求項１２】
前記２４番目に対応するアミノ酸残基が、Ｌｅｕである、請求項１に記載のポリペプチドアナログ。
【請求項１３】
請求項１に記載のポリペプチドアナログであって、前記天然ＩＦＮαタンパク質の２８番目〜１６６番目の残基の配列に対応する、前記アナログ中のアミノ酸配列が、該天然のＩＦＮαタンパク質の配列と実質的に同一である、ポリペプチドアナログ。
【請求項１４】
請求項１３に記載のポリペプチドアナログであって、前記天然ＩＦＮαタンパク質の２８番目〜１６６番目の残基の配列に対応する、前記アナログ中のアミノ酸配列が、該天然のＩＦＮαタンパク質の配列と同一である、ポリペプチドアナログ。
【請求項１５】
請求項１〜請求項１４のいずれか１項に記載のポリペプチドアナログをコードする核酸分子。
【請求項１６】
ヒトＩＦＮαタンパク質のポリペプチドアナログを作製するための方法であって、以下：
請求項１５に記載の核酸分子を、組換え発現系に配置する、工程；
該アナログを作成するために、該核酸の発現をもたらす、工程；および
該アナログを回収する、工程
を包含する、方法。
【請求項１７】
ヒトＩＦＮαタンパク質のポリペプチドアナログをコードする核酸分子を作製するための方法であって、以下：
請求項１〜請求項１４のいずれか１項に記載の核酸分子を産出するために、１つ以上のコドンで、天然のヒトＩＦＮαタンパク質をコードする核酸分子を改変する工程、
を包含する、方法。
【請求項１８】
請求項１〜請求項１４のいずれか１項に記載のＩＦＮαアナログおよび薬学的に受容可能なキャリアを含む、薬学的組成物。
【請求項１９】
ＩＦＮαに応答性の疾患状態を有する被験体への経口投与のための、請求項１８に記載の薬学的組成物。
【請求項２０】
ウイルスに感染した細胞におけるウイルスの複製を阻害するための組成物であって、該組成物が、該細胞における該ウイルスの複製を阻害するのに有効な量で該細胞に投与される、請求項１〜請求項１４のいずれか１項に記載のＩＦＮαアナログを含む、組成物。
【請求項２１】
腫瘍細胞の増殖を阻害するための組成物であって、該組成物が、該腫瘍細胞の増殖を阻害するのに有効な量で該細胞に投与される、請求項１〜請求項１４のいずれか１項に記載のＩＦＮαアナログを含む、組成物。
【請求項２２】
ＩＦＮαに応答性の疾患状態を処置するための薬学的組成物の調製のための、請求項１〜請求項１４のいずれか１項に記載のＩＦＮαアナログの使用。
【請求項２３】
ＩＦＮαに応答性の疾患状態を処置するための経口投与可能な薬学的組成物の調製のための、請求項１〜請求項１４のいずれか１項に記載のＩＦＮαアナログの使用。
【請求項２４】
自己免疫疾患、慢性炎症、またはＩＦＮαに応答性の疾患状態を処置するための薬学的組成物の調製のための、請求項１〜請求項１４のいずれか１項に記載のＩＦＮαアナログの使用。
【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】  （ａ）実質的に無溶剤のポリ塩化ビニル樹脂を含有するポリマーマトリックス、
（ｂ）チオキサンテン螢光染料、および
（ｃ）少なくとも１つの二級または三級アミン基を含み、１０００ｇ／モル未満の分子量を有するヒンダードアミン光安定剤
を含む耐久性のある色および螢光特性を示す製品。
【請求項２】  （ａ）実質的に無溶剤のポリ塩化ビニル樹脂、チオキサンテン螢光染料、および少なくとも１つの二級または三級アミン基を含み、１０００ｇ／モル未満の分子量を有するヒンダードアミン光安定剤を混合物に組み合わせるステップ、および
（ｂ）混合物から製品を形成するステップ
を含む耐久性のある色および螢光特性を示す製品を製造する方法。
【請求項３】  （ａ）（ｉ）ポリ塩化ビニルホストマトリックス、（ｉｉ）少なくとも１つの二級または三級アミン基を含有し、１０００ｇ/モル未満の分子量を有するヒンダードアミン光安定剤、および（ｉｉｉ）チオキサンテン螢光染料を含む着色層、および
（ｂ）紫外線吸収剤を含み、前記着色層上に配置された保護層
を含む、耐久性のある色および螢光特性を示す製品。